(57)【要約】【課題】扱室を形成する扱胴カバーの内面側に、この扱室内を流動する処理物に接触して、該処理物を扱室内で停滞させながら送塵量を調整する送塵ガイドを備えたコンバインの脱穀装置において、簡単且つ安価な構成の送塵ガイドで以って自動的且つ確実に送塵量の調整を行えるようにする。【解決手段】扱室１１を形成する扱胴カバー１５の内面側に、扱室１１における処理物の流動量が増えると送塵量を増加させる方向に変形可能な弾性材料からなる送塵ガイド１６，１６´を設けた。【選択図】図５
2009033996.tif 000002
【特許請求の範囲】
【請求項１】
扱室（１１）を形成する扱胴カバー（１５）の内面側に、この扱室（１１）内を流動する処理物に接触して、該処理物を扱室（１１）内で停滞させながら送塵量を調整する送塵ガイド（１６，１６´）を備えた脱穀装置において、前記処理物の流動量が増えると送塵量を増加させる方向に変形可能な弾性材料からなる送塵ガイド（１６，１６´）を設けたことを特徴とする脱穀装置。
【請求項２】
前記送塵ガイド（１６）がバネ材からなる請求項１に記載の脱穀装置。
【発明の詳細な説明】
【技術分野】
【０００１】
本発明は、扱室内を流動する処理物に接触して、該処理物の流量を調整可能な送塵ガイドを備えたコンバインやハーベスタ等の脱穀装置に関する。
【背景技術】
【０００２】
従来、コンバインの脱穀装置を構成する扱室内に、穀稈または処理物の送り方向に対して交差する位置に揺動自在な翼板からなる排塵調節弁（送塵ガイド）を設け、この排塵調節弁を処理物の発生に応動して開き方向に自動的に傾動可能に構成したものが知られている（例えば、特許文献１参照）。
【特許文献１】実開昭５２−６１７５２号公報（図１−図３）
【発明の開示】
【発明が解決しようとする課題】
【０００３】
しかし、上述した特許文献１の排塵調節弁は、藁屑等の発生が少なくなると閉じ方向に自動的に傾動するようにスプリングを介して適正な付勢力が付与されており、排塵調節弁を構成する回動支点や複雑な揺動リンクを必要とし、また前記スプリングや回動支点に藁屑等が付着することにより排塵調節弁の傾動動作が不安定になると、処理物の流動量を所望の状態に調整できなくなるといった不具合を有していた。更に処理物の発生量が著しく増加した場合は、排塵調節弁が破損する虞もあった。
【課題を解決するための手段】
【０００４】
本発明は、上記課題を解決することを目的としたものであって、扱室を形成する扱胴カバーの内面側に、この扱室内を流動する処理物に接触して、該処理物を扱室内で停滞させながら送塵量を調整する送塵ガイドを備えた脱穀装置において、前記処理物の流動量が増えると送塵量を増加させる方向に変形可能な弾性材料からなる送塵ガイドを設けたことを第１の特徴としている。
そして、前記送塵ガイド１６がバネ材からなることを第２の特徴としている。
【発明の効果】
【０００５】
請求項１の発明によれば、扱室を形成する扱胴カバーの内面側に、処理物の流動量が増えると送塵量を増加させる方向に変形可能な弾性材料からなる送塵ガイドを設けたことによって、扱室内で発生する藁屑等を充満させることなく自動的且つ確実に後方へ送塵して脱穀性能を維持することができると共に、処理物の発生量が著しく増加した場合でも当該送塵ガイド自体の変形によりその破損を回避できる。
そして、請求項２の発明によれば、前記送塵ガイドがバネ材からなり、それによって簡単且つ安価な構成の送塵ガイドを提供できる。
【発明を実施するための最良の形態】
【０００６】
次に、本発明の実施の形態を図面に基づいて説明する。図１は、コンバイン１の平面図であって、該コンバイン１は、圃場内に植立する穀稈を刈り取る前処理部２と、刈り取った穀稈から穀粒を脱穀して選別する脱穀部３と、選別した穀粒を一時的に貯留する穀粒タンク４と、穀粒タンク４内の穀粒を機外に排出する穀粒排出オーガ５と、脱穀済みの排藁を後処理する後処理部６と、座席７や各種操作具を配置した操縦部８を備えている。
【０００７】
そして、脱穀部３は、図２に示すように、穀稈の株元を挟持して後方に搬送する脱穀フィードチェン９と、この脱穀フィードチェン９が搬送する穀稈の穂先側が導入される扱室１１と、扱室１１内に回転自在に内装すると共に外周部に突設した複数の扱歯１２ａによって穀稈の穂先側から穀粒を脱穀する扱胴１２と、主として扱室１１から穀粒を漏下させる多数の漏下孔を備えて扱胴１２の下側に沿って設けた受網１３と、受網１３から漏下した穀粒を選別する選別室１４を備えている。
【０００８】
また、扱室１１の上部は、該扱室１１を形成する開閉自在な扱胴カバー（シリンダーカバー）１５で覆ってあり、この扱胴カバー１５を開き操作すると扱室１１の上方が広く開放されるので、当該扱室１１内の清掃、点検、及び整備作業等を容易に行うことができる。
【０００９】
そして、扱胴カバー１５の内面側には、本発明の要部である送塵ガイド１６を設けている。この、送塵ガイド１６は、扱室１１内を流動する処理物に接触して、該処理物の単位時間当たりの流動量を調整する部材であり、その支持構造を、図３及び図４に基づいて以下説明する。
【００１０】
上述した送塵ガイド１６は、扱胴カバー１５の開放端側に固設した正面視で右下がり傾斜のカバー体１５ａに螺設したブラケット１７のボス部１７ａに回動自在に支持している。即ち、送塵ガイド１６の基端部に固設した回動支点軸１６ａを前記ボス部１７ａに挿通支持すると共に、回動支点軸１６ａの上端に送塵ガイド１６の開度調節アーム１８を螺設し、更にこの開度調節アーム１８の先端に当該送塵ガイド１６の回動規制ピン１８ａを固設している。
【００１１】
そして、扱胴カバー１５の開放端側に螺設した正面視でコ字状の断面形状を有するフレーム部材１９には、送塵ガイド１６の回動支点軸１６ａを中心とする円弧状の長孔Ｈを設けたブラッケット２１を螺設してあり、前記長孔Ｈに送塵ガイド１６の回動規制ピン１８ａの先端（上端）が貫通するように構成している。
【００１２】
以上説明した構成によれば、ブラッケット２１に設けた円弧状の長孔Ｈに貫通する送塵ガイド１６の回動規制ピン１８を図４にＢ矢印で示す如く揺動させることができ、この回動規制ピン１８の揺動に伴って送塵ガイド１６もＢ´矢印で示すように揺動し、図５（ａ），（ｂ）にＣ矢印で示す処理物の流動方向に対する送塵ガイド１６の開度を調節できるようになっている。尚、送塵ガイド１６の開度の固定は、回動規制ピン１８の先端をナット２２で締め付けることによってなされる。
【００１３】
更に詳しくは、例えば扱室１１内で発生する枝梗付着粒が多い場合は、扱室１１内を流動する処理物の流動方向Ｃに対して送塵ガイド１６を閉じ側に調節することにより、単位時間当たりの処理物の流動量を減らすことができる。即ち、処理物を扱室１１内で停滞させて該扱室１１内における枝梗付着粒の脱穀作用時間を長くすることができる。また、扱室１１内で発生する藁屑が多くなると、その負荷により扱室１１内で異音の発生やエンジンドロップが起こることがあり、この場合は、扱室１１内を流動する処理物の流動方向Ｃに対して送塵ガイド１６を開き側に調節することにより、単位時間当たりの処理物の流動量を増加させて扱室１１内における藁屑のはけを促進することができる。
【００１４】
また、上述した送塵ガイド１６を簡単且つ安価なバネ材または硬質ゴム等の弾性材料で構成すれば、扱室１１内を流動する処理物の単位時間当たりの流動量が増えると送塵量を増加させる方向に、当該送塵ガイド１６の先端側を図５（ｂ）に示す如く変形させることができ、それにより扱室１１内で発生する藁屑等を充満させることなく自動的且つ確実に後方へ送塵して脱穀性能を維持することができると共に、処理物の発生量が著しく増大した場合でも当該送塵ガイド１６自体の変形によりその破損を回避できる。
【００１５】
尚、図６に示す実施例は、扱胴カバー１５の開放端側に固設したカバー体１５ａに、押え板２３を介して硬質ゴム（弾性材料）からなる送塵ガイド１６´を直接螺設したものであり、この送塵ガイド１６´の先端側は、扱室１１内を流動する処理物の単位時間当たりの流動量が増えると、図示実線と二点鎖線で示す範囲で変形する。
【図面の簡単な説明】
【００１６】
【図１】コンバインの平面図。
【図２】脱穀装置の一部を省略した正断面図。
【図３】送塵ガイドの指示構造を示す要部拡大断面図（第一実施例）。
【図４】図３におけるＡ矢視。
【図５】（ａ），（ｂ）送塵ガイドの作用説明図（第一実施例）。
【図６】送塵ガイドの指示構造を示す要部拡大断面図（第二実施例）。
【符号の説明】
【００１７】
１１    扱室
１５    扱胴カバー
１６    送塵ガイド（第一実施例）
１６´  送塵ガイド（第二実施例）
【図１】
2009033996.tif 000003
【図２】
2009033996.tif 000004
【図３】
2009033996.tif 000005
【図４】
2009033996.tif 000006
【図５】
2009033996.tif 000007
【図６】
2009033996.tif 000008